(57)【特許請求の範囲】
【請求項１】
ボール打撃位置から防球ネットが張られたゴルフ練習ゲージ内へ打ち込みされるゴルフボールを、前記ボール打撃位置の近傍のボール回収位置まで回収するためのゴルフボール回収用具であって、
前記ボール回収位置から前記ゴルフ練習ゲージ内に達する、長手形状のネット部材と、
該ネット部材の幅方向の両側において、自身をロール状に巻き込みして形成されるロール巻部と、
前記ネット部材の長手方向側の一端に設けられ、前記防球ネットの所定高さ位置に掛止して自身をその防球ネットから前記ボール回収位置に向けて高さが減少するように傾斜させる掛止部と、
前記ネット部材の長手方向側の他端に連設されて前記ボール回収位置に置かれた、前記ネット部材を転がり落ちてくる前記ゴルフボールが溜まるボール溜め部と、
を備えることを特徴とするゴルフボール回収用具。
【請求項２】
前記ネット部材の前記ロール巻部において、前記ボール回収位置に置かれる前記ロール巻部内には、前記ネット部材の傾斜形態を維持できる状態で補強芯材が設けられることを特徴とする請求項１に記載のゴルフボール回収用具。
【請求項３】
前記ボール溜め部が前記ゴルフボールを打撃する際にゴルフボールをセットするマット部材と隣接して配されて回収打撃ユニットとして構成されることを特徴とする請求項１又は２に記載のゴルフボール回収用具。
【請求項４】
前記回収打撃ユニットは、前記マット部材以外の領域が前記ボール溜め部とされ、該ボール溜め部に前記ネット部材から転がり落ちてくる前記ゴルフボールを誘導するボールガイドが設けられることを特徴とする請求項３に記載のゴルフボール回収用具。
【発明の詳細な説明】
【技術分野】
【０００１】
本発明は、ゴルフ練習するためのゴルフ練習ゲージ内へ打ち込みするゴルフボールを回収するために使用するゴルフボール回収用具に関する。
【背景技術】
【０００２】
従来、ゴルフ練習のために使用されるゴルフ練習用具として、枠体にネットが張設され、そのネットから打席方向に傾斜する傾斜面を有する補給部が設けられ、この補給部から打席方向に延出し、かつ打席方向に傾斜した傾斜面を有する返球部を備えるゴルフ練習用ネットが知られている（特許文献１参照）。
【先行技術文献】
【特許文献】
【０００３】
【特許文献１】実開平２―３７７３号公報
【発明の概要】
【発明が解決しようとする課題】
【０００４】
この先行技術におけるゴルフ練習用ネットは打ち込まれたゴルフボールを、その打席位置側に転がるようにして返球することは可能であるも、転げ落ちるゴルフボールを一定方向に誘導させていないため、返球位置が定まらず、打席を離れて拾い集める手間が必要となる問題点を有している。
【０００５】
本発明の課題は、ゴルフボール回収を容易にし、かつ取扱性の向上を図るように改良したゴルフボール回収用具を提供することにある。
【課題を解決するための手段】
【０００６】
上記課題を解決するために、本発明のゴルフ練習ゲージ用のボール回収用具は、ボール打撃位置から防球ネットが張られたゴルフ練習ゲージ内へ打ち込みされるゴルフボールを、前記ボール打撃位置の近傍のボール回収位置まで回収するためのゴルフボール回収用具であって、前記ボール回収位置から前記ゴルフ練習ゲージ内に達する、長手形状のネット部材と、該ネット部材の幅方向の両側において、自身をロール状に巻き込みして形成されるロール巻部と、前記ネット部材の長手方向側の一端に設けられ、前記防球ネットの所定高さ位置に掛止して自身をその防球ネットから前記ボール回収位置に向けて高さが減少するように傾斜させる掛止部と、前記ネット部材の長手方向側の他端に連設されて前記ボール回収位置に置かれた、前記ネット部材を転がり落ちてくる前記ゴルフボールが溜まるボール溜め部と、を備えることを特徴とする。
【０００７】
上記構成とすることにより、ネット部材自体を利用してロール巻部を形成するため部品数が少なく簡素な構造となり、しかも、ネット部材自体が形状保持がし難い素材であるも、そのロール巻部が幅方向の両側に形成されるため、ネット部材を傾斜させてセットした状態で、その形態を安定して保持させられるためボール回収機能を良好にできる。さらに、両側のロール巻部によってネット部材に落ちてくるゴルフボールを外側に脱落させずに確実にボール溜め部まで転がり戻すことができる。このようにボール回収位置のボール溜め部はボール打撃位置の近傍に位置するため、手間をかけずに次の打撃準備をすることが容易にできることとなる。また、掛止部を防球ネットに掛止することでゴルフ練習ゲージ用にボール回収用具をセットできるため取扱い性も簡易となる。
【０００８】
また、上記課題を解決するために、本発明のゴルフ練習ゲージ用のボール回収用具は、前記ネット部材の前記ロール巻部において、前記ボール回収位置に置かれる前記ロール巻部内には、前記ネット部材の傾斜形態を維持できる状態で補強芯材が設けられることを特徴とすることにより、ロール巻部による形態安定性を補強芯材によってさらに向上させることができ、しかも、その配設位置がボール回収位置側であるため、ネット部材として一端側が防球ネットの固定保持され、他端側がボール回収位置側で安定載置されるため、ネット部材の傾斜形態をセットした状態で安定維持できることによりボール回収機能を損なうことがない高品質のボール回収用具を提供できることとなる。
【０００９】
また、上記課題を解決するために、本発明のゴルフ練習ゲージ用のボール回収用具は、前記ボール溜め部が前記ゴルフボールを打撃する際にボールをセットするマット部材と隣接して配されて回収打撃ユニットとして構成されることを特徴とすることにより、ボール溜め部に回収されるゴルフボールはマット部材に近い位置に確実に回収されることとなり、次の打撃準備が極めて容易にできることとなる。
【００１０】
また、上記課題を解決するために、本発明のゴルフ練習ゲージ用のボール回収用具において前記回収打撃ユニットは、前記マット部材以外の領域が前記ボール溜め部とされ、該ボール溜め部に前記ネット部材から転がり落ちてくる前記ゴルフボールを誘導するボールガイドが設けられることを特徴とすることにより、ボールガイドによってゴルフボールを確実にマット部材以外の領域であるボール溜め部まで誘導して溜めることができるため、打撃の準備中で既にマット部材にゴルフボールをセットしていても回収されるゴルフボールが邪魔にならないため打撃練習に集中でき、かつ、打撃しようと予定していたゴルフボール以外の不必要な打撃は発生しなく練習中での安全性も高めることができる。
【図面の簡単な説明】
【００１１】
【図１】本発明に係るゴルフボール回収用具をゴルフ練習ゲージにセットした状態で一部を省略して示す使用状態図。
【図２】ゴルフボール回収用具のネット部材を示し、図２（ａ）はネット部材の幅方向寸法を広くした例、図２（ｂ）は図２（ａ）よりも幅方向寸法を幅狭くした例をそれぞれ示す平面図。
【図３】ロール巻部の巻回数を変えて幅方向寸法を変化させたネット部材の例を示す概要図。
【図４】ネット部材のロール巻部を結束保持する状態と、それに使用する結束バンドを示す図。
【図５】ゴルフボール回収用具のネット部材を、防球ネットの高さ方向で、その掛止位置を変えた状態を示す図。
【図６】補強芯材が内装されるロール巻部と、その補強芯材を示す図。
【図７】ネット部材の他端に接続する回収打撃ユニットを示し、図７（ａ）は右打ち用のセット状態、図７（ｂ）は左打ち用のセット状態を示す図。
【図８】ゴルフボール回収用具のネット部材の幅方向寸法を、ゴルフ練習ゲージ内の内幅全域に広げた状態の装着例を示す概略平面図。
【発明を実施するための形態】
【００１２】
以下、図面を参照しながら本発明の実施の形態について説明する。図１は、ゴルフボール回収用具をゴルフ練習ゲージにセットした状態で一部を省略して示す使用状態図である。図１において、ゴルフボール回収用具１は屋外などの地面における設置面Ｓに設置されるゴルフ練習ゲージＧに取り付けて使用するものである。
【００１３】
ゴルフ練習ゲージＧは枠体Ｇ１にポリエチレン等の樹脂からなる縦繊維と横繊維とにて編組された防球ネットＧ２が張られている。この枠体Ｇ１は中空パイプ材によって方形枠状に形成される複数の枠部材Ｇ１ａからなり、この枠部材Ｇ１ａを白抜き矢印で示す前方側Ｆを開口させるように奥側、両側、天井側の四方を取り囲むようにして組み立てられる。そして、使用者がゴルフ練習ゲージＧの前方側Ｆのボール打撃位置ＤからゴルフボールＢをゴルフ練習ゲージＧに打ち込むようにして使用される。
【００１４】
このゴルフ練習ゲージＧ内へ打ち込みされるゴルフボールＢを再びボール打撃位置Ｄにおいて再使用するように、そのボール打撃位置Ｄの近傍のボール回収位置Ｒまで回収するためにゴルフボール回収用具１が使用される。このゴルフボール回収用具１はネット部材２と、回収打撃ユニット３とを備えている。
【００１５】
このゴルフボール回収用具１のネット部材２は、ボール打撃位置Ｄからゴルフ練習ゲージＧ内に達する、ポリエチレン等の樹脂からなる縦繊維と横繊維とにて編組された展開状態で長方形状（図２の破線でしめす形態）とされた長手形状となした長尺のネット本体２ａからなり、該ネット本体２ａの幅方向の両側において、自身をロール状に巻き込みして形成されるロール巻部２ｂを有している。
【００１６】
このロール巻部２ｂは、図２、図３に示すように、その巻回数によってネット部材２としての幅方向寸法ＷＬの調整を可能にするとともに、防球ネットＧ２に当たってネット部材２に落ちて、さらに下方へ転がり移動する際にゴルフボールＢが外側へ落ちないように落下防止壁としての機能を備えさせている。
【００１７】
この幅方向寸法ＷＬは、ネット部材２が縦繊維と横繊維とにて編組された部材であるため、その長手方向における任意位置において、ロール巻部２ｂの巻回数を変えることにより長手方向にわたって幅方向寸法ＷＬを変化させることができる。具体的な幅方向寸法ＷＬとしては、ゴルフ練習ゲージＧ側は幅広くし、ボール打撃位置Ｄ側がそれよりも幅狭くされる。
【００１８】
また、落下防止壁とするロール巻部２ｂの巻方向は、図３に示すようにネット本体２ａの一方の面としての表面２ａ１から少なくともゴルフボールＢの直径よりも大径となすように巻回されている。
【００１９】
このロール巻部２ｂのロール状態を維持するために結束バンド４が使用される。この結束バンド４は、図４に示すように、ナイロン製の帯状バンド４ａの端に係止爪（図示せず）を形成した挿通口４ｂを有するバックル４ｃが形成されるとともに、帯状バンド４ａの帯面側には、係止爪と係合可能とされる複数本の係止溝４ｄが形成される。
【００２０】
そして、所定回数で巻回されるロール巻部２ｂの所定位置で、帯状バンド４ａを、その網目を介してバックル４ｃに通して、帯状バンド４ａの巻径を絞り込むことによりロール巻部２ｂが所定径で結束保持される。
【００２１】
また、図５に示すように、ゴルフボール回収用具１のネット部材２の長手方向側の一端には、掛止部５が設けられる。この掛止部５は編組された防球ネットＧ２に掛止可能とされ、金属や樹脂によって鉤状に形成される。そして、ゴルフ練習ゲージＧの奥側の防球ネットＧ２の所定高さの網目に引掛けるようにして掛止する。これにより自身をその防球ネットＧ２からボール回収位置Ｒに向けて高さが減少するように傾斜させることができる。
【００２２】
また、図６に示すように、ゴルフボール回収用具１のネット部材２の長手方向側の他端側には、所定長さにわたって補強芯材７が設けられる。この補強芯材７はネット部材２のロール巻部２ｂにおいて、図５に示すようにボール回収位置Ｒに近く、設置面Ｓに少なくとも接して、その傾斜姿勢を許容しつつ安定保持させるように、そのロール巻部２ｂに内設されている。
【００２３】
補強芯材７はポリエチレン等の樹脂によって形成される円筒状の芯材本体７ａに複数の孔７ｂが形成され、この複数の孔７ｂによって芯材本体７ａに撓み性を備えさせている。そして、ロール巻部２ｂを形成するに際し、補強芯材７を中心にしてネット本体２ａをロール状に巻回して、結束バンド４を介してそのロール状態を結束保持させている。
【００２４】
図７に示すように、ゴルフボール回収用具１のネット部材２の長手方向側の他端に接続されて連設される回収打撃ユニット３は、ボール回収位置Ｒに置かれ、ネット部材２を転がり落ちてくるゴルフボールＢが溜まるボール溜め部６を備えている。
【００２５】
この回収打撃ユニット３は、ネット部材２の他端との連設側が開放され、その他の周囲を側壁８ａでコ字状に囲うようにした平面視矩形状のプレート体８を基礎部材としている。
【００２６】
このプレート体８の内表面側には、人工芝９ａが植設され、ゴルフボールＢをセットするためのマット部材９が、そのプレート体８の内表面領域よりも載置面積が小さく形成されることにより、プレート体８の内表面側において位置移動可能に配設される。
【００２７】
これはマット部材９を、ゴルフ練習者の打ち方である左利き用と右利き用に備えて、その配置位置を変更可能と成している。また、マット部材９が置かれた残りプレート体８の内面領域をボール溜め部６としている。
【００２８】
また、この回収打撃ユニット３にはボールガイド１０が設けられる。このボールガイド１０はプレート体８の開放側に配設される。このボールガイド１０もゴルフ練習者の打ち方が左利き用と右利き用に備えて位置を変更可能と成している。
【００２９】
ボールガイド１０は板状部材からなるガイド板本体１０ａが平面視三角状に形成され、その一辺の傾斜面１０ｂをゴルフ練習ゲージＧ側に向けて配置することにより、ネット部材２を転がり落ちてくるゴルフボールＢがその傾斜面１０ｂに接することにより、ゴルフボールＢがボール溜め部６へと転がるように誘導され、このボール溜め部６で回収されることとなる。
【００３０】
また、左利き用と右利き用の変更は、図７（ａ）でのボールガイド１０を、図７（ｂ）で示すように反転使用することによって変更使用することができ、手間がかからず簡単である。
【００３１】
図８はゴルフボール回収用具１の変形例を示す概略平面図である。本例によるゴルフボール回収用具１はネット部材２におけるロール巻部２ｂ間の幅方向寸法ＷＬを、ゴルフ練習ゲージＧ内の内幅全域に対応するように設定したものである。
【００３２】
この幅方向寸法ＷＬの設定により、ゴルフ練習ゲージＧにおける奥側および左右に位置する防球ネットＧ２に、ゴルフボール回収用具１のネット部材２の一端側に設けられる掛止部５を掛止するとともに、ネット部材２の両側に設けられる掛止部５を掛止して、ゴルフ練習ゲージＧ内の内幅全域をカバーするようにネット部材２を装着できる。これによって、ゴルフ練習ゲージＧの奥側に打ち込まれたボール以外に、図面上の左右に位置する防球ネットＧ２に打ち込まれたボールであっても、ネット部材２により回収しながらその傾斜を利用してボール回収位置Ｒに戻すことができることとなる。
【００３３】
以上、本発明の実施の形態を説明したが、これらはあくまで例示にすぎず、本発明はこれらに限定されるものではなく、各々の実施の形態は、本発明の説明のために一つ実施形態の部分として述べられている構成を、別の実施の形態において利用し、更にこれらを組み合わせて別の実施の形態とすることができる。
【符号の説明】
【００３４】
１          ゴルフボール回収用具
２          ネット部材
５          掛止部
６          ボール溜め部
７          補強芯材
９          マット部材
１０        ボールガイド
Ｇ          ゴルフ練習ゲージ
Ｇ２        防球ネット
Ｄ          ボール打撃位置
Ｂ          ゴルフボール
Ｒ          ボール回収位置
【図１】
0005213946.tif 000002
【図２】
0005213946.tif 000003
【図３】
0005213946.tif 000004
【図４】
0005213946.tif 000005
【図５】
0005213946.tif 000006
【図６】
0005213946.tif 000007
【図７】
0005213946.tif 000008
【図８】
0005213946.tif 000009